(57)【要約】      （修正有）【課題】高山地帯のように外圧が低い地域において、ＰＤＰ動作時のノイズが大きくなる問題を解決する。【解決手段】各フレームでＰＤＰの外圧ＰＥＸが設定最低圧力ＰＥＸ＿ＭＩＮと設定最高圧力ＰＥＸ＿ＭＡＸとの間にある場合、各フレームの維持放電パルスの数ＮＴＳは、設定最小数ＮＴＳ＿ＭＩＮと設定基準数ＮＴＳ＿ＲＥＦとの間で外圧ＰＥＸに比例するように設定される。外圧が低い場合に、各フレームの平均輝度を下げることによりＰＤＰの内部温度が低くなって内圧も下がり、これにより、外圧が低くなってもＰＤＰの応力が低くならず、ノイズは大きくならない。【選択図】図４
2005346049.tif 000002
【特許請求の範囲】
【請求項１】
放電ディスプレイパネル、及び入力映像信号の各フレームの諧調データによって前記放電ディスプレイパネルを駆動する駆動装置を含む放電ディスプレイ装置において、
外圧に比例して各フレームの平均輝度が調整される放電ディスプレイ装置。
【請求項２】
前記各フレームの平均輝度が調整されることは、外圧に比例して各フレームの平均信号レベルが調整されることであることを特徴とする請求項１に記載の放電ディスプレイ装置。
【請求項３】
前記各フレームの平均輝度が調整されることは、外圧に比例して各フレームの駆動時間が調整されることであることを特徴とする請求項１に記載の放電ディスプレイ装置。
【請求項４】
前記単位フレームが複数のサブフィールドに分割され、
前記サブフィールドそれぞれがリセッティング時間、アドレッシング時間、及び維持−放電時間を含み、
前記リセッティング時間で全てのディスプレイセルの放電条件が一定に設定され、
前記アドレッシング時間で選択されたディスプレイセルに所定の壁電圧が形成され、
前記維持−放電時間で選択されたディスプレイセルが放電を維持することを特徴とする請求項２に記載の放電ディスプレイ装置。
【請求項５】
前記維持−放電時間で、
選択されたディスプレイセルに維持−放電パルスが交互に印加されることを特徴とする請求項４に記載の放電ディスプレイ装置。
【請求項６】
前記維持−放電時間で、
外圧に比例して前記維持−放電パルスの数が調整されることを特徴とする請求項５に記載の放電ディスプレイ装置。
【発明の詳細な説明】
【技術分野】
【０００１】
本発明は放電ディスプレイ装置に係り、さらに詳細には、放電ディスプレイパネル、及び入力映像信号の各フレームの諧調データによって放電ディスプレイパネルを駆動する駆動装置を含む放電ディスプレイ装置に関する。
【背景技術】
【０００２】
図１は、通常的な放電ディスプレイパネルとしての３電極面放電方式のプラズマディスプレイパネル（ＰＤＰ：Ｐｌａｓｍａ  Ｄｉｓｐｌａｙ  Ｐａｎｅｌ）の構造を示す。図２は、図１のパネルのディスプレイセルの一例を示す。図１及び図２に示すように、通常的な面放電ＰＤＰ  １の前方及び後方ガラス基板１０，１３間には、アドレス電極ラインＡＲ１，・・・，ＡＢｍ、誘電体層１１，１５、Ｙ電極ラインＹ１，・・・，Ｙｎ、Ｘ電極ラインＸ１，・・・，Ｘｎ、蛍光体１６、隔壁１７及び保護層としての一酸化マグネシウム（ＭｇＯ）層１２が設けられている。
【０００３】
アドレス電極ラインＡＲ１，・・・，ＡＢｍは、後方ガラス基板１３の前方に一定のパターンで形成される。下部誘電体層１５は、アドレス電極ラインＡＲ１，・・・，ＡＢｍの前方で全面塗布される。下部誘電体層１５の前方には、隔壁１７がアドレス電極ラインＡＲ１，・・・，ＡＢｍと平行に形成される。この隔壁１７は、各ディスプレイセルの放電領域を区画し、各ディスプレイセル間の光学的干渉を防止する機能を行う。蛍光層１６は、隔壁１７間に塗布される。
【０００４】
Ｘ電極ラインＸ１，・・・，ＸｎとＹ電極ラインＹ１，・・・，Ｙｎとは、アドレス電極ラインＡＲ１，・・・，ＡＢｍと交差されるように前方ガラス基板１０の後方に一定のパターンで形成される。各交差点は、相応するディスプレイセルを設定する。各Ｘ電極ラインＸ１，・・・，Ｘｎと各Ｙ電極ラインＹ１，・・・，Ｙｎとは、ＩＴＯ（Ｉｎｄｉｕｍ  Ｔｉｎ  Ｏｘｉｄｅ）のような透明な導電性材質の透明電極ライン（図２のＸｎａ，Ｙｎａ）と伝導度を高めるための金属電極ライン（図２のＸｎｂ，Ｙｎｂ）とが結合されて形成される。前方誘電体層１１は、Ｘ電極ラインＸ１，・・・，ＸｎとＹ電極ラインＹ１，・・・，Ｙｎとの後方に全面塗布されて形成される。強い電界からパネル１を保護するための保護層１２、例えば、一酸化マグネシウム（ＭｇＯ）層は、前方誘電体層１１の後方に全面塗布されて形成される。放電空間１４にはプラズマ形成用ガスが密封される。
【０００５】
このようなＰＤＰに基本的に適用される駆動方法（特許文献１参照）では、リセッティング、アドレッシング、及び維持−放電段階が単位サブフィールドで順次に行われる。リセッティング段階では、全てのディスプレイセルの電荷状態が均一になる。アドレッシング段階では、選択されたディスプレイセルに所定の壁電圧（ｗａｌｌ  ｖｏｌｔａｇｅ）が生成される。維持−放電段階では、全てのＸＹ電極ライン対に所定の交流電圧が印加されることによってアドレッシング段階で前記壁電圧が形成されたディスプレイセルが維持−放電を起こす。この維持−放電段階において、維持−放電を起こす選択されたディスプレイセルの放電空間１４、すなわち、ガス層でプラズマが形成され、その紫外線放射によって蛍光層１６が励起されて光が発生する。
【０００６】
前記のような放電ディスプレイパネル１の駆動装置には、映像処理部、制御部、及び駆動部が備えられる。映像処理部は、外部アナログ映像信号をデジタル信号に変換して内部映像信号、例えば、それぞれ８ビットの赤色（Ｒ）、緑色（Ｇ）及び青色（Ｂ）の映像データ、クロック信号、垂直及び水平同期信号を発生させる。制御部は、映像処理部からの内部映像信号によって駆動部が動作できる駆動制御信号を発生させる。駆動部は、放電ディスプレイパネルの各電極ラインに駆動信号を印加する。
【０００７】
前記のような放電ディスプレイパネル１及びその駆動装置を備えた放電ディスプレイ装置において、外圧が低い地域、例えば、高山地帯では、放電ディスプレイパネル１の応力が弱くなって放電ディスプレイパネル１の動作時にノイズが大きくなるという問題点がある。
【特許文献１】米国特許第５５４１６１８号明細書
【発明の開示】
【発明が解決しようとする課題】
【０００８】
本発明が解決しようとする目的は、外圧が低い地域で、ノイズが大きくならないようにできる放電ディスプレイ装置を提供することである。
【課題を解決するための手段】
【０００９】
前記目的を達成するための本発明の放電ディスプレイ装置は、放電ディスプレイパネル、及び入力映像信号の各フレームの諧調データによって前記放電ディスプレイパネルを駆動する駆動装置を含む。ここで、外圧に比例して、各フレームの平均輝度が調整される。
【００１０】
本発明の前記放電ディスプレイ装置によれば、外圧に比例して、各フレームの平均輝度が調整されるので、外圧が低い場合に、各フレームの平均輝度が低くなる。これにより、外圧が低い場合に、前記放電ディスプレイパネルの内部温度が低くなるので、内圧も低くなる。これにより、外圧が低くなるにも拘わらず、前記放電ディスプレイパネルの応力は弱くならない。すなわち、外圧が低い地域でも、放電ディスプレイパネルのノイズは大きくならない。
【発明の効果】
【００１１】
本発明による放電ディスプレイ装置によれば、外圧に比例して各フレームの平均輝度が調整されるので、外圧が低い場合に、各フレームの平均輝度も低くなる。これにより、外圧が低い場合に、放電ディスプレイパネルの内部温度が低くなるので、内圧も低くなる。これにより、外圧が低くなるにも拘わらず、放電ディスプレイパネルの応力は弱くならない。すなわち、外圧が低い地域でも、放電ディスプレイパネルのノイズは大きくならない。
【発明を実施するための最良の形態】
【００１２】
以下、本発明による望ましい実施形態を詳細に説明する。ここで、本発明の放電ディスプレイ装置に含まれた放電ディスプレイパネルとしてのＰＤＰについては、図１及び２を参照して説明した通りである。
【００１３】
図３に示すように、本発明による放電ディスプレイ装置としてのプラズマディスプレイ装置は、ＰＤＰ  １、映像処理部６６、制御部６２、アドレス駆動部６３、Ｘ駆動部６４、及びＹ駆動部６５、及び外圧センサー６７を含む。
【００１４】
ＰＤＰ  １については、図１及び図２を参照して説明した通りである。映像処理部６６は、外部映像信号、例えば、ビデオ信号ＳＶＩＤ及びデジタル−ＴＶ信号ＳＤＴＶをデジタル信号としての内部映像信号に変換させる。ここで、内部映像信号は、例えば、それぞれ８ビットのＲ、Ｇ及びＢ映像データ、クロック信号、垂直及び水平同期信号を含む。
【００１５】
制御部６２は、映像処理部６６からの内部映像信号によってデータ信号ＳＡ、Ｘ制御信号ＳＸ、及びＹ制御信号ＳＹを発生させる。ここで、制御部６２は、外圧センサー６７からの外圧信号ＳＥＰによって、各フレームの平均輝度が外圧に比例するように調整する。このために、制御部６２は、各フレームの平均信号レベルまたは駆動時間（例えば、各フレームの維持−放電パルスの数）が外圧に比例するように調整する。これと関連した内容は、図４ないし図７を参照してさらに詳細に説明される。
【００１６】
アドレス駆動部６３は、制御部６２からのデータ信号ＳＡによってＰＤＰ  １のアドレス電極ラインＡＲ１，ＡＧ１，・・・，ＡＧｍ，ＡＢｍ（図１参照）を駆動する。Ｘ駆動部６４は、制御部６２からのＸ制御信号ＳＸによってＸ電極ライン（図１の  Ｘ１，・・・，Ｘｎ）を駆動する。Ｙ駆動部６５は、制御部６２からのＹ制御信号ＳＹによってＹ電極ライン（図１の  Ｙ１，・・・，Ｙｎ）を駆動する。
【００１７】
図４は、図３のプラズマディスプレイ装置で、外圧に比例して各フレームの平均輝度が調整されることを示す。図４で、ＮＴＳは、各フレームの維持−放電パルスの数を、ＡＳＬは、各フレームの平均信号レベルを、そして、ＰＥＸは、外圧をそれぞれ表す。
【００１８】
図３及び図４に示すように、各フレームでＰＤＰ  １の外圧ＰＥＸが設定最低圧力ＰＥＸ＿ＭＩＮと設定最高圧力ＰＥＸ＿ＭＡＸとの間に存在する場合、各フレームの維持−放電パルスの数ＮＴＳは、設定最小数ＮＴＳ＿ＭＩＮと設定基準数ＮＴＳ＿ＲＥＦとの間で外圧ＰＥＸに比例するように設定される。これと関連した内容は、図５ないし図７を参照してさらに詳細に説明される。ここで、設定最高圧力ＰＥＸ＿ＭＡＸは、ＰＤＰ  １のノイズに影響を及ぼさない最小限の外圧を意味する。
【００１９】
一方、各フレームの駆動時間としての各フレームの維持−放電パルスの数ＮＴＳが調整されず、諧調データの直接調整によって各フレームの平均信号レベルＡＳＬが調整されることもある。すなわち、各フレームで、ＰＤＰ  １の外圧ＰＥＸが設定最低圧力ＰＥＸ＿ＭＩＮと設定最高圧力ＰＥＸ＿ＭＡＸとの間に存在する場合、各フレームの平均信号レベルＡＳＬは、設定最小レベルＡＳＬＭＩＮと元来の信号レベルＡＳＬＯＲＧとの間で外圧ＰＥＸに比例するように設定される。
【００２０】
まとめれば、外圧ＰＥＸが低い場合に、各フレームの平均輝度が低くなる。これにより、外圧が低い場合に、ＰＤＰ  １の内部温度が低くなると、内圧も低くなる。これにより、外圧ＰＥＸが低くなるにも拘わらず、ＰＤＰ  １の応力が低くならない。すなわち、外圧ＰＥＸが低い地域でもＰＤＰ  １のノイズが大きくならない。
【００２１】
図５は、図３のプラズマディスプレイ装置で外圧が設定最高圧力（図４のＰＥＸ＿ＭＡＸ）以上であるフレームＦＲ１での駆動状態を示す。前述したように、設定最高圧力ＰＥＸ＿ＭＡＸは、ＰＤＰ  １のノイズに影響を及ぼさない最小限の外圧を意味する。
【００２２】
図５を参照すれば、全ての単位フレームそれぞれは、時分割諧調ディスプレイを実現するために８個のサブフィールドＳＦ１ないしＳＦ８に分割される。また、各サブフィールドＳＦ１ないしＳＦ８は、リセッティング時間Ｒ１ないしＲ８、アドレッシング時間Ａ１ないしＡ８、及び維持−放電時間Ｓ１ないしＳ８に分割される。
【００２３】
全てのディスプレイセルの放電条件は、各リセッティング時間Ｒ１ないしＲ８で均一になると同時に、次の段階で行われるアドレッシングに適合するようになる。
【００２４】
各アドレッシング時間Ａ１ないしＡ８では、アドレス電極ライン（図１のＡＲ１ないしＡＢｍにディスプレイデータ信号が印加されると同時に、各Ｙ電極ラインＹ１，・・・，Ｙｎに相応する走査パルスが順次に印加される。これにより、走査パルスが印加される間に高いレベルのディスプレイデータ信号が印加されれば、相応する放電セルでアドレッシング放電によって壁電荷（ｗａｌｌ  ｃｈａｒｇｅ）が形成され、そうでない放電セルでは、壁電荷が形成されない。
【００２５】
各維持−放電時間Ｓ１ないしＳ８では、全てのＹ電極ラインＹ１，・・・，Ｙｎと全てのＸ電極ラインＸ１，・・・，Ｘｎとに維持−放電パルスが交互に印加され、相応するアドレッシング時間Ａ１ないしＡ８で壁電荷が形成された放電セルでディスプレイ放電を起こす。したがって、ＰＤＰの輝度は、単位フレームで占める維持−放電時間Ｓ１ないしＳ８の長さに比例する。単位フレームで占める維持−放電時間Ｓ１ないしＳ８の長さは、２５５Ｔ（Ｔは、単位時間）である。したがって、単位フレームで一度もディスプレイされていない場合を含んで２５６階調としてディスプレイされうる。
【００２６】
ここで、第１サブフィールドＳＦ１の維持−放電時間Ｓ１には２０に相応する時間１Ｔが、第２サブフィールドＳＦ２の維持−放電時間Ｓ２には２１に相応する時間２Ｔが、第３サブフィールドＳＦ３の維持−放電時間Ｓ３には２２に相応する時間４Ｔが、第４サブフィールドＳＦ４の維持−放電時間Ｓ４には２３に相応する時間８Ｔが、第５サブフィールドＳＦ５の維持−放電時間Ｓ５には２４に相応する時間１６Ｔが、第６サブフィールドＳＦ６の維持−放電時間Ｓ６には２５に相応する時間３２Ｔが、第７サブフィールドＳＦ７の維持−放電時間Ｓ７には２６に相応する時間６４Ｔが、そして、第８サブフィールドＳＦ８の維持−放電時間Ｓ８には２７に相応する時間１２８Ｔがそれぞれ設定される。
これにより、８個のサブフィールドのうちディスプレイされるサブフィールドを適切に選択すれば、いかなるサブフィールドでもディスプレイされない“０”諧調を含んで、いずれも５６階調のディスプレイが行われうる。
【００２７】
ここで、図５のフレームＦＲ１で、ＰＤＰ（図３の１）の外圧が設定最高圧力以上であるので、各維持−放電時間Ｓ１ないしＳ８で維持−放電パルスの数ＮＴＳは、設定基準数である。すなわち、各維持−放電時間Ｓ１ないしＳ８で休止時間が存在していない。
【００２８】
図６は、図３のプラズマディスプレイ装置で、外圧が設定最低圧力（図４のＰＥＸ＿ＭＩＮ）のフレームでの駆動状態を示す。図６で、図５と同じ参照符号は、同じ機能の対象を表す。また、駆動方式自体は、図５を参照して説明された通りである。したがって、図５の駆動状態との差異点のみを説明すれば、次の通りである。
【００２９】
すなわち、図６のフレームＦＲ９９９で、ＰＤＰ（図３の１）の外圧が設定最低圧力ＰＥＸ＿ＭＩＮであるので、各維持−放電時間Ｓ１ないしＳ８で維持−放電パルスの数ＮＴＳは設定最小数である。すなわち、各維持−放電時間Ｓ１ないしＳ８で休止時間Ｗ１ないしＷ８が存在する。
【００３０】
図７は、図５または図６の単位サブ−フィールドで、図１のＰＤＰ  １の電極ラインに印加される信号の波形を示す。図７で、ＳＡＲ１・・・．ＡＢｍは、各アドレス電極ライン（図１のＡＲ１ないしＡＢｍ）に印加される駆動信号を、ＳＸ１．・・・．Ｘｎは、Ｘ電極ライン（図１のＸ１，・・・，Ｘｎ）に印加される駆動信号を、そして、ＳＹ１ないしＳＹｎは、各Ｙ電極ライン（図１のＹ１，・・・，Ｙｎ）に印加される駆動信号を表す。
【００３１】
図７に示すように、単位サブフィールドＳＦのリセッティング時間Ｒの第１時間ｔ１〜ｔ２では、まず、Ｘ電極ラインＸ１・・・Ｘｎに印加される電圧が接地電圧ＶＧから第２電圧ＶＳまで持続的に上昇する。ここで、Ｙ電極ラインＹ１，・・・，Ｙｎとアドレス電極ラインＡＲ１ないしＡＢｍには接地電圧ＶＧが印加される。これにより、Ｘ電極ラインＸ１，・・・，ＸｎとＹ電極ラインＹ１，・・・，Ｙｎとの間、及びＸ電極ラインＸ１，・・・，Ｘｎとアドレス電極ラインＡＲ１ないしＡＢｍの間に弱い放電が発生しつつＸ電極ラインＸ１，・・・，Ｘｎの周囲に負極性の壁電荷が形成される。
【００３２】
壁電荷蓄積時間としての第２時間ｔ２〜ｔ３では、Ｙ電極ラインＹ１，・・・，Ｙｎに印加される電圧が第２電圧ＶＳから第２電圧ＶＳより第４電圧ＶＳＥＴほどさらに高い第１電圧ＶＳＥＴ＋ＶＳまで持続的に上昇する。ここで、Ｘ電極ラインＸ１，・・・，Ｘｎとアドレス電極ラインＡＲ１ないしＡＢｍには接地電圧ＶＧが印加される。これにより、Ｙ電極ラインＹ１，・・・，ＹｎとＸ電極ラインＸ１，・・・，Ｘｎとの間に弱い放電が起こる一方、Ｙ電極ラインＹ１，・・・，Ｙｎとアドレス電極ラインＡＲ１ないしＡＢｍとの間にさらに弱い放電が起こる。ここで、Ｙ電極ラインＹ１，・・・，Ｙｎとアドレス電極ラインＡＲ１ないしＡＢｍとの間の放電よりＹ電極ラインＹ１，・・・，ＹｎとＸ電極ラインＸ１，・・・，Ｘｎとの間の放電がさらに強くなる理由は、Ｘ電極ラインＸ１，・・・，Ｘｎの周囲に負極性の壁電荷が形成されていたためである。これにより、Ｙ電極ラインＹ１，・・・，Ｙｎの周囲には、負極性の壁電荷が多く形成され、Ｘ電極ラインＸ１，・・・，Ｘｎの周囲には、正極性の壁電荷が形成され、アドレス電極ラインＡＲ１ないしＡＢｍの周囲には、正極性の壁電荷が少なく形成される。
【００３３】
壁電荷の配分時間としての第３時間ｔ３〜ｔ４では、Ｘ電極ラインＸ１，・・・，Ｘｎに印加される電圧が第２電圧ＶＳに維持された状態で、Ｙ電極ラインＹ１，・・・，Ｙｎに印加される電圧が第２電圧ＶＳから第３電圧としての接地電圧ＶＧまで持続的に下降する。ここで、アドレス電極ラインＡＲ１ないしＡＢｍには、接地電圧ＶＧが印加される。これにより、Ｘ電極ラインＸ１，・・・，ＸｎとＹ電極ラインＹ１，・・・，Ｙｎとの間の弱い放電によって、Ｙ電極ラインＹ１，・・・，Ｙｎの周囲の負極性の壁電荷の一部がＸ電極ラインＸ１，・・・，Ｘｎの周囲に移動する。これにより、Ｘ電極ラインＸ１，・・・，Ｘｎの壁電位がアドレス電極ラインＡＲ１ないしＡＢｍの壁電位より低くなり、Ｙ電極ラインＹ１，・・・，Ｙｎの壁電位より高まる。これにより、次のアドレッシング時間Ａで選択されたアドレス電極ラインとＹ電極ラインとの間の対向放電に要求されるアドレッシング電圧ＶＡ−ＶＧが低くなりうる。一方、全てのアドレス電極ラインＡＲ１ないしＡＢｍには、接地電圧ＶＧが印加されるので、アドレス電極ラインＡＲ１ないしＡＢｍは、Ｘ電極ラインＸ１，・・・，ＸｎとＹ電極ラインＹ１，・・・，Ｙｎとに対して放電を行い、この放電によってアドレス電極ラインＡＲ１ないしＡＢｍの周囲の正極性の壁電荷が消滅する。
【００３４】
次のアドレッシング時間Ａで、アドレス電極ラインにディスプレイデータ信号が印加され、第２電圧ＶＳより低い第５電圧ＶＳＣＡＮにバイアスされたＹ電極ラインＹ１，・・・，Ｙｎに接地電圧ＶＧの走査信号が順次に印加されるにつれて、円滑なアドレッシングが行われうる。各アドレス電極ラインＡＲ１ないしＡＢｍに印加されるディスプレイデータ信号は、ディスプレイセルを選択する場合に、正極性アドレッシング電圧ＶＡが、そうでない場合に接地電圧ＶＧが印加される。これにより、接地電圧ＶＧの走査パルスが印加される間に正極性アドレッシング電圧ＶＡのディスプレイデータ信号が印加されれば、相応するディスプレイセルでアドレッシング放電によって壁電荷が形成され、そうでないディスプレイセルでは、壁電荷が形成されない。ここで、さらに正確かつ効率的なアドレッシング放電のために、Ｘ電極ラインＸ１，・・・，Ｘｎに第２電圧ＶＳが維持される。
【００３５】
次のディスプレイ維持時間Ｓでは、全てのＹ電極ラインＹ１，・・・，ＹｎとＸ電極ラインＸ１，・・・，Ｘｎとに第２電圧ＶＳのディスプレイ維持パルスが交互に印加され、相応するアドレッシング時間Ａで壁電荷が形成されたディスプレイセルでディスプレイ維持のための放電を起こす。ここで、ディスプレイ維持パルスが印加されていない休止時間ｔ６〜ｔ７は、ＰＤＰ  １の外圧（図４のＰＥＸ）に反比例する。すなわち、ディスプレイ維持時間Ｓで、ディスプレイ維持パルスが印加される駆動時間ｔ５〜ｔ６は、ＰＤＰ  １の外圧ＰＥＸに比例する。
【００３６】
本発明は、添付された図面に示された一実施形態を参考として説明されたが、これは、例示的なものに過ぎず、当業者ならば、これから多様な変形及び同等な他の実施形態が可能であることが分かる。したがって、本発明の真の保護範囲は、特許請求の範囲によって決定されねばならない。
【産業上の利用可能性】
【００３７】
本発明は、放電ディスプレイパネルの応力を自動的に調整する必要のある分野で利用されうる。
【図面の簡単な説明】
【００３８】
【図１】通常的な放電ディスプレイパネルとしての３−電極面放電方式のＰＤＰの構造を示す内部斜視図である。
【図２】図１のパネルのディスプレイセルの一例を示す断面図である。
【図３】本発明による放電ディスプレイ装置としてのプラズマディスプレイ装置を示すブロック図である。
【図４】図３のプラズマディスプレイ装置において、外圧に比例して各フレームの平均輝度が調整されることを示すグラフである。
【図５】図３のプラズマディスプレイ装置において、外圧が設定最高圧力以上であるフレームでの駆動状態を示すタイミング図である。
【図６】図３のプラズマディスプレイ装置において、外圧が設定最低圧力であるフレームでの駆動状態を示すタイミング図である。
【図７】図５または図６の単位サブフィールドにおいて、図１のＰＤＰの電極ラインに印加される信号の波形図である。
【符号の説明】
【００３９】
ＰＥＸ_ＭＩＮ  設定最低圧力
ＰＥＸ_ＭＡＸ  設定最高圧力
ＰＥＸ  外部圧力
ＮＴＳ  維持放電パルスの数
ＮＴＳ_ＭＩＮ  設定最小数
ＮＴＳ_ＲＥＦ  設定基準数
ＡＳＬ  平均信号レベル
ＡＳＬ_ＭＩＮ  設定最小レベル
ＡＳＬ_ＯＲＧ  元来の信号レベル
【図１】
2005346049.tif 000003
【図２】
2005346049.tif 000004
【図３】
2005346049.tif 000005
【図４】
2005346049.tif 000006
【図５】
2005346049.tif 000007
【図６】
2005346049.tif 000008
【図７】
2005346049.tif 000009